(57)【要約】【課題】演出体の可動部を基端部に近づけて演出体全体の大きさを小さくした状態で収納部に収納し、省スペース化を図ることができる演出装置及び遊技機を提供する。【解決手段】演出体８０の収納部への収納過程において、駆動モータ５２がラックギア６３を右方に移動させ、伝達部１０４を右方に押圧することで、本体部８６は、軸体８５を中心に反時計回りに回動する。背板５１の溝部６７は、可動部８３に接続する突片１０１を案内する。第一溝部６９は突片１０１を上向きに案内し、可動部８３を退行位置側に素早く移動させる。演出体８０の回動半径を小さくできるので、収納部の省スペース化を実現できる。第二溝部７０は突片１０１を右斜め上向きに案内し、第一溝部６９における移動で勢いのついた可動部８３が本体部８６に衝突することを防止する。【選択図】図９
2018089517.tif 000002
【特許請求の範囲】
【請求項１】
前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出装置であって、
先端部と基端部との間で延びる本体部の前記先端部に、演出時に動作を行う可動部を備え、演出時に、前記基端部側を軸に前記本体部を回動し、前記装飾枠の前記開口部内に前記可動部を配置する演出体と、
前記本体部の前記基端部に設けられ、前側及び後側に夫々突出する一対の軸体と、
前壁と後壁を含み、前記開口部内側を開放する箱状に形成され、前記前壁と前記後壁との夫々に設けた一対の軸受で前記一対の軸体を夫々支え、非演出時に前記演出体を収納する収納部と、
前記可動部に設けられ、後方に突出する突片と、
前記収納部内に位置する前記後壁の前面に形成され、前記突片に係合する溝部と
を備え、
前記可動部は、演出時に、前記本体部の延伸方向に沿って前記基端部から離れた突出位置と、前記突出位置よりも前記基端部に近づいた退行位置との間で移動する演出を行い、
前記溝部は、前記演出体の収納時に、前記可動部の前記突片が前記溝部に係合してから前記演出体を前記収納部内に収納し終えるまでの収納過程において、前記突片を案内し、前記可動部を前記突出位置から前記退行位置側へ向けて移動させること
を特徴とする演出装置。
【請求項２】
前記溝部は、
前記収納過程において前記突片を案内する向きが、少なくとも２段階以上に変化する構成であって、
前記突片を第一向きに案内し、前記可動部を、前記突出位置から前記退行位置側へ向けて第一平均速度で移動させる第一溝部と、
前記第一溝部に次いで、前記突片を前記第一向きとは異なる第二向きに案内し、前記可動部を、前記突出位置から前記退行位置側へ向けて前記第一平均速度より遅い第二平均速度で移動させる第二溝部と
を含むことを特徴とする請求項１に記載の演出装置。
【請求項３】
前記第一向きは上側を向く向きであり、前記第二向きは、前記第一向きよりも斜めに上側を向く向きであることを特徴とする請求項２に記載の演出装置。
【請求項４】
前記演出体は、
前記可動部が前記基端部から離れる向きに前記可動部を付勢する付勢部材と、
通電によって前記可動部が前記基端部に近づく向きに前記可動部を移動するソレノイドと
を備えたことを特徴とする請求項１から３のいずれかに記載の演出装置。
【請求項５】
前面に遊技球が流下する遊技領域が形成された遊技盤と、
前記遊技盤の裏側に設けられて各種図柄を可変表示する図柄表示装置と、
前記遊技盤に設けられて前後に貫通する開口部を有し、前記開口部を介して前記図柄表示装置の表示部を露出する装飾枠と、
前記装飾枠に設けられた請求項１から４のいずれかに記載の演出装置と
を備えたことを特徴とする遊技機。
【発明の詳細な説明】
【技術分野】
【０００１】
本発明は、遊技状態に応じて演出体を収納部から露出させて駆動し、演出を行う演出装置及び遊技機に関する。
【背景技術】
【０００２】
従来、パチンコ機に設け、遊技状態に応じて演出体を収容部から露出させて駆動し、演出を行う演出装置が知られている。例えば特許文献１に記載の可動ライトは、演出が行われないとき、全体が収容凹部内に収容され、演出が行われるとき、可動ベースより下方部分が天井開口から下方外側に出現する。
【先行技術文献】
【特許文献】
【０００３】
【特許文献１】特開２００９−８２３１１号公報
【発明の概要】
【発明が解決しようとする課題】
【０００４】
しかしながら、収納凹部は可動ライトの全体を収納できる大きさのスペースが必要であり、省スペース化が望まれていた。
【０００５】
本発明の目的は、演出体の可動部を基端部に近づけて演出体全体の大きさを小さくした状態で収納部に収納し、省スペース化を図ることができる演出装置及び遊技機を提供することである。
【課題を解決するための手段】
【０００６】
本発明の第一態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出装置であって、先端部と基端部との間で延びる本体部の前記先端部に、演出時に動作を行う可動部を備え、演出時に、前記基端部側を軸に前記本体部を回動し、前記装飾枠の前記開口部内に前記可動部を配置する演出体と、前記本体部の前記基端部に設けられ、前側及び後側に夫々突出する一対の軸体と、前壁と後壁を含み、前記開口部内側を開放する箱状に形成され、前記前壁と前記後壁との夫々に設けた一対の軸受で前記一対の軸体を夫々支え、非演出時に前記演出体を収納する収納部と、前記可動部に設けられ、後方に突出する突片と、前記収納部内に位置する前記後壁の前面に形成され、前記突片に係合する溝部とを備え、前記可動部は、演出時に、前記本体部の延伸方向に沿って前記基端部から離れた突出位置と、前記突出位置よりも前記基端部に近づいた退行位置との間で移動する演出を行い、前記溝部は、前記演出体の収納時に、前記可動部の前記突片が前記溝部に係合してから前記演出体を前記収納部内に収納し終えるまでの収納過程において、前記突片を案内し、前記可動部を前記突出位置から前記退行位置側へ向けて移動させることを特徴とする演出装置が提供される。
【０００７】
演出体を収納部に収納する収納過程において、突片が溝部によって案内されることで、可動部は、突出位置よりも退行位置側に位置した状態で、収納部に収納される。故に、演出体の収納スペースを従来よりも小さくすることができ、遊技機の筐体内におけるレイアウトの自由化を図ることができる。
【０００８】
第一態様において、前記溝部は、前記収納過程において前記突片を案内する向きが、少なくとも２段階以上に変化する構成であって、前記突片を第一向きに案内し、前記可動部を、前記突出位置から前記退行位置側へ向けて第一平均速度で移動させる第一溝部と、前記第一溝部に次いで、前記突片を前記第一向きとは異なる第二向きに案内し、前記可動部を、前記突出位置から前記退行位置側へ向けて前記第一平均速度より遅い第二平均速度で移動させる第二溝部とを含んでもよい。溝部は、第一溝部で可動部を退行位置側に向けて第一平均速度で素早く移動させる。これにより、収納部を小さく形成しても、演出体の収納過程で可動部が収納部の内壁に衝突することを防止できる。溝部は、第一溝部に次ぐ第二溝部で、可動部を退行位置側に向けて第二平均速度で案内し、可動部の移動を緩やかにする。これにより、第一溝部における移動で勢いのついた可動部が本体部に衝突することを防止できる。
【０００９】
第一態様において、前記第一向きは上側を向く向きであり、前記第二向きは、前記第一向きよりも斜めに上側を向く向きであってもよい。第一溝部が突片を案内する第一向きは、上向きである。このため、可動部は、例えば突片が斜め上向きに案内された場合と比べ、収納過程の初期において、素早く本体部に近づくことができる。故に、収納部内での演出体の回動半径を小さくできるので、収納部の省スペース化を確実に図ることができる。
【００１０】
第一態様において、前記演出体は、前記可動部が前記基端部から離れる向きに前記可動部を付勢する付勢部材と、通電によって前記可動部が前記基端部に近づく向きに前記可動部を移動するソレノイドとを備えてもよい。可動部は、ソレノイドの駆動によって移動する。収納過程において、演出装置は、可動部をソレノイドで退行位置側に移動させた状態で収納せず、溝部に突片を案内させることで、可動部を退行位置側へ向けて移動させながら収納する。このため演出装置は、収納過程においてソレノイドを駆動させずに済み、ソレノイドの駆動に伴う熱が収納部内に籠もりにくいので、装置の劣化を防止できる。
【００１１】
本発明の第二態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠と、前記装飾枠に設けられた請求項１から４のいずれかに記載の演出装置とを備えたことを特徴とする遊技機が提供される。第一態様に係る演出装置を備えたことで、第二態様は、第一態様と同様の効果を得ることができる。
【図面の簡単な説明】
【００１２】
【図１】パチンコ機１の正面図である。
【図２】遊技盤２の正面図である。
【図３】演出体８０が収納部６０内に移動した状態の演出装置５０の斜視図である。
【図４】演出装置５０の分解斜視図である。
【図５】演出体８０が収納部６０内に移動した状態で、前カバー５３とギアカバー６４を外した演出装置５０の正面図である。
【図６】可動部８３が退行位置に移動した状態の演出体８０の斜視図である。
【図７】演出体８０の分解斜視図である。
【図８】可動部８３が突出位置に移動した状態の演出体８０の斜視図である。
【図９】演出体８０が演出時の位置に移動した状態で、前カバー５３とギアカバー６４を外した演出装置５０の正面図である。
【図１０】軸体８４，８５、伝達部１０４及び突片１０１と溝部６７との位置関係を模式的に示す図である。
【図１１】収納過程において、軸体８４，８５と突片１０１との間の距離Ｒ２と、軸体８４，８５に対する突片１０１の位置を示す角度θとの関係を示すグラフである。
【発明を実施するための形態】
【００１３】
以下、本発明の一実施形態である演出装置５０及びパチンコ機１について、図面を参照して説明する。まず、演出装置５０を備えるパチンコ機１の機械的な構成について、図１、図２を参照して説明する。なお、以下の説明において、パチンコ機１の上下方向、左右方向、及び表裏方向については、特に断りがない場合、遊技盤２の盤面の向きを基準とする。即ち、ホールに設置されたパチンコ機１で遊技を行う遊技者からパチンコ機１を見た向き（即ち図１に図示されるパチンコ機１の向き）が基準となる。以下では便宜上、表裏方向を前後方向として、説明を行う。また、パチンコ機１に使用される装置や部品についても、パチンコ機１に組み付けられた場合の向きを基準に、上下方向、左右方向、及び前後方向を規定するものとする。
【００１４】
図１、図２に示すように、パチンコ機１の上段側には遊技盤２が設けられている。遊技盤２は略正方形であり、透明なガラス板を保持した前面枠１３によって前面を保護されている。遊技盤２の下段側には上皿５及び下皿６が設けられている。上皿５は遊技盤２の下部に設けられ、発射機（図示略）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部で左右の角には、スピーカ４８が夫々設けられている。
【００１５】
遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等を用いて構成される図柄表示装置２８が設けられている。図柄表示装置２８は遊技盤２の背面側に配置され、遊技盤２の略中央に設けられた開口を介し、表示面２７をパチンコ機１の前面に露出する。表示面２７には動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１６】
遊技盤２の開口の縁部には装飾等が施され、図柄表示装置２８の外縁を取り囲む装飾枠１４が設けられている。図柄表示装置２８は、装飾枠１４の開口部１９を介し、表示面２７をパチンコ機１の前面に露出する。装飾枠１４には、装飾枠１４と共に各種演出を行う複数の演出装置が設けられている。演出装置は装飾枠１４内、あるいは装飾枠１４と図柄表示装置２８との間に配置される。演出装置は、遊技状態に応じ、その場で、あるいは図柄表示装置２８の前側にせり出して、ＬＥＤ等の発光体を発光させる等の演出を行う。そのうちの一つである演出装置５０は、図柄表示装置２８の上側外縁に沿って設けられている。詳細については後述するが、演出装置５０は、非演出時には正面から見て装飾枠１４の開口部１９の上側縁部に隠れた位置に配置される（図２参照）。演出装置５０は、演出時にはモータの動力を用いて装飾体を駆動し、更にＬＥＤ等の発光体を発光させ、図柄表示装置２８及びスピーカ４８等と連動しながら様々な演出を行う。
【００１７】
図柄表示装置２８の左方には普通図柄始動ゲート１２が設けられている。普通図柄始動ゲート１２の下方には大入賞口１７が設けられている。図柄表示装置２８の下方には、第一特別図柄始動入賞口１５が設けられている。第一特別図柄始動入賞口１５の直下には第二特別図柄始動電動役物１６が設けられている。第二特別図柄始動電動役物１６は開閉部材を備える。遊技球は、開閉部材が開放された場合にのみ第二特別図柄始動電動役物１６に入賞することができる。第一特別図柄始動入賞口１５、第二特別図柄始動電動役物１６に遊技球が入賞すると、夫々所定数の遊技球が賞品球として払い出される。第二特別図柄始動電動役物１６の下側には、遊技領域４の中央下端部まで流下した遊技球を回収するアウト口１８が設けられる（図２参照）。
【００１８】
遊技領域４の右斜め下部には図柄表示部２４（図２参照）が設けられている。図柄表示部２４は、普通図柄表示部、第一特別図柄表示部、第二特別図柄表示部、普通図柄記憶数表示ＬＥＤ、第一特別図柄記憶数表示ＬＥＤ、及び第二特別図柄記憶数表示ＬＥＤを備える。
【００１９】
本実施形態では、第一特別図柄始動入賞口１５へ遊技球が入賞すると、第一大当り判定が行われ、判定の結果に応じて複数の特別図柄のうちの１つが図柄表示部２４の第一特別図柄表示部に表示される。その結果、大当たりであると判定されると、大入賞口１７が開放される大当たり遊技が実行される。大入賞口１７に入賞した遊技球の流路には、特定領域が形成されている。パチンコ機１では、大当たり遊技中に遊技球が大入賞口１７内の特定領域を通過することが、大当たり遊技終了後に確率変動状態を生起する条件となっている。なお、遊技盤２の背面側には、遊技の主制御、各種演出等を制御する制御部（図示略）が設けられている。
【００２０】
また、普通図柄始動ゲート１２を遊技球が通過すると普通当り判定が行われて、判定結果が図柄表示部２４の普通図柄表示部に表示される。その結果、普通当たりであると判定されると、第二特別図柄始動電動役物１６が開放される。第二特別図柄始動電動役物１６へ遊技球が入賞すると、第二大当り判定が行われ、判定結果は図柄表示部２４の第二特別図柄表示部に表示される。その結果、大当たりであると判定されると、上記同様に大当たり遊技が実行される。
【００２１】
普通図柄記憶数表示ＬＥＤは、普通図柄作動保留球数を４つまで表示する。普通図柄作動保留球数とは、普通図柄始動ゲート１２を通過し、且つ普通図柄表示部に普通当り判定の結果がまだ表示されていない遊技球の個数である。図柄表示部２４の第一特別図柄記憶数表示ＬＥＤは、第一特別図柄作動保留球数を４つまで表示する。第一特別図柄作動保留球数とは、第一特別図柄始動入賞口１５に入賞し、且つ第一大当り判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１６に入賞し、且つ第二大当り判定の結果がまだ表示されていない遊技球の個数である。
【００２２】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、大入賞口１７を開閉するソレノイドを駆動する。また、演出基板のＣＰＵ（図示略）は、演出装置５０を作動する駆動モータ５２（図３参照）の駆動制御、演出装置５０が備える電飾用のＬＥＤ（図示略）等の発光制御等を行う。
【００２３】
次に、演出装置５０の構造について説明する。前述したように、本実施形態の演出装置５０は、図柄表示装置２８の上側外縁に沿って装飾枠１４内に設けられる。図３〜図５に示すように、演出装置５０は、前後方向に厚みを有し、左右方向に延びる背板５１に、演出を行う演出体８０と、演出体８０を回動する駆動モータ５２を組み付けた装置である。演出体８０は、先端部８１と基端部８２との間で延び、先端部８１に、演出時に動作する可動部８３を備える。基端部８２には、前後方向の両側に、同軸且つ一対の軸体８４，８５が設けられる。演出体８０は、軸体８４，８５を中心に回動する。演出体８０の詳細な構成は後述する。
【００２４】
背板５１の前面には、前カバー５３が取り付けられる。前カバー５３は、背板５１の左右方向の略中央よりも左寄りの位置から右端にかけての部分に設けられる。前カバー５３は、前板５４、天板５５、左側板５６及び右側板５７を有する。前板５４は、背板５１の前方に配置され、背板５１に対向する。天板５５、左側板５６及び右側板５７は、夫々、前板５４の上端、左端及び右端から後方へ向けて延びる。前カバー５３は、天板５５及び右側板５７の後端部分がねじ留めされて、背板５１に固定される。前カバー５３と背板５１は、前板５４、天板５５、左側板５６、右側板５７及び背板５１を外壁とし、下部を開放する箱状の収納部６０（図３参照）を構成する。背板５１の下端部は、収納部６０の開口よりも下方に位置する。収納部６０には、非演出時に演出体８０が収納される。
【００２５】
背板５１の略中央には軸受５８が形成されている。軸受５８は、演出体８０の基端部８２後側に設けられた軸体８４を支持する。背板５１の軸受５８の位置に対応する前板５４の位置にも、軸受５９が形成されている。軸受５９は、演出体８０の基端部８２前側に設けられた軸体８５を支持する。一対の軸受５８，５９は、収納部６０内を挟んで同軸となる位置に設けられる。演出体８０は、一対の軸体８４，８５が一対の軸受５８，５９によって支持されることで、演出装置５０に回動可能に組み付けられる。
【００２６】
軸受５８の右上にはストッパ１０９が設けられている。ストッパ１０９は、非演出時に演出体８０が収納部６０内に収容されたとき、演出体８０の本体部８６の第一側壁８８（図６参照）に当接し、演出体８０の反時計回りへの回動を規制する。軸受５８の左下にはストッパ１１０が設けられている。ストッパ１１０は、演出体時に演出体８０が収納部６０から露出されたとき、演出体８０の本体部８６の第二側壁８９（図６参照）に当接し、演出体８０の時計回りへの回動を規制する。
【００２７】
背板５１の前面には、溝部６７が形成される。溝部６７は、背板５１の下端部から収納部６０内に延びる。詳細は後述するが、溝部６７の右側壁６８は、第一溝部６９、第二溝部７０、第三溝部７１を有する（図９参照）。溝部６７の右側壁６８は、収納部６０内への演出体８０の収納時に演出体８０の突片１０１（図６参照）に当接し、突片１０１を案内する。また、収納部６０内で、軸受５８，５９よりも右方且つ上方の位置には、フォトセンサ１０３が設けられる。フォトセンサ１０３は、前カバー５３の前板５４の背面に、ねじ留めによって固定される。フォトセンサ１０３は、演出体８０の遮蔽板１０２（図６参照）を検出する。フォトセンサ１０３は、収納部６０に演出体８０を収納するときの演出体８０の位置決めに用いられる。
【００２８】
収納部６０の左側には、棚板６１が設けられる。棚板６１は、ねじ留めによって背板５１の前面に固定され、前方へ向けて棚状に突出する。棚板６１上には、駆動モータ５２が配置される。駆動モータ５２は、例えばステッピングモータである。駆動モータ５２は、カバー体６６に覆われて保護される。駆動モータ５２の出力軸（図示略）は、棚板６１を上下に貫通する貫通穴内に挿通される。駆動モータ５２の出力軸には、ピニオンギア６２が固定される。ピニオンギア６２は、棚板６１の下側に配置され、上下方向を軸方向にして回転する。
【００２９】
ピニオンギア６２にはラックギア６３が噛合する。ラックギア６３は左右方向に長く延びる。ラックギア６３は歯面を後方へ向け、ピニオンギア６２の前側に配置される。ラックギア６３は、駆動モータ５２の駆動によって回動するピニオンギア６２に従動し、左右方向に移動する。棚板６１の下部にはギアカバー６４が取り付けられる。ギアカバー６４は、ピニオンギア６２とラックギア６３とが噛合する部分を覆う。棚板６１とギアカバー６４は、夫々、ラックギア６３の上端と下端を移動可能な状態で保持し、ラックギア６３とピニオンギア６２とが噛合した状態を維持する。
【００３０】
ラックギア６３の右端部には、案内部６５が設けられる。案内部６５は上下方向に延びる溝形状に形成される。案内部６５の上下両側の端部は閉じられ、案内部６５は、前後方向に貫通する長円状の穴部として構成される。案内部６５は、溝形状の穴部として簡易に構成することができるので、ラックギア６３と一体に形成することができる。案内部６５は、演出体８０の伝達部１０４（後述）に係合する。案内部６５の溝幅は、伝達部１０４に設けられるワッシャ１０５（図４参照）の外径よりも若干大きい。ラックギア６３の左右方向への移動に伴い、案内部６５は、伝達部１０４の上下方向への相対的な移動を案内する。
【００３１】
演出体８０について説明する。以下の説明において、演出体８０の本体部８６が延びる方向を演出体８０の延伸方向とし、可動部８３が設けられた側を先端側、軸体８４，８５が設けられた側を基端側とする。また、延伸方向及び前後方向に直交する方向を演出体８０の幅方向とし、演出体８０の収納部６０への収納時に上側に位置する側を一端側、下側に位置する側を他端側とする。
【００３２】
図６〜図８に示すように、演出体８０の本体部８６は、先端部８１と基端部８２との間で延伸方向に延びる。本体部８６は、後側が開放するＵ字溝状に形成され、前壁８７、第一側壁８８、第二側壁８９を備える。第一側壁８８は、幅方向において、前壁８７の一端部から後方へ向けて立ち上がる。第二側壁８９は、前壁８７の幅方向の他端部から後方へ向けて立ち上がる。本体部８６の基端部８２には、軸体８４，８５が設けられる。軸体８４は、基端部８２の後側で、本体部８６の基端寄り、且つ第一側壁８８寄りの位置に設けられる。軸体８５は、基端部８２の前側（前壁８７側）で、本体部８６の基端寄り、且つ第一側壁８８寄りの位置に設けられる。前述したように、軸体８４，８５は、前後方向において同軸且つ一対に設けられる。
【００３３】
本体部８６は、第一側壁８８に遮蔽板１０２を備える。遮蔽板１０２は、前後方向に厚みを有する板状に形成される。遮蔽板１０２は、第一側壁８８において前壁８７寄りの位置に設けられ、幅方向一端側へ向けて突出する。演出体８０の収納時、遮蔽板１０２は、収納部６０内のフォトセンサ１０３（図５参照）が検出可能な位置に配置される。演出基板のＣＰＵは、駆動モータ５２の制御において、フォトセンサ１０３の検出結果に基づいて、演出体８０の回動における原点位置（収納部６０に収納された状態の演出体８０の位置）を補正する。
【００３４】
図４に示すように、本体部８６は、前壁８７に伝達部１０４を備える。伝達部１０４は、基端部８２において、軸体８４よりも延伸方向先端側、且つ第二側壁８９（図６参照）寄りの位置に設けられる。伝達部１０４は、前壁８７の前方へ向けてピン状に突出する。ピン状の伝達部１０４は簡易な構成であるので、本体部８６と一体に形成することができる。伝達部１０４には、樹脂製のワッシャ１０５が嵌められる。伝達部１０４は、ワッシャ１０５を介し、ラックギア６３の案内部６５の穴部内を挿通される。ワッシャ１０５は、ねじ留めによって伝達部１０４に組み付けられ、伝達部１０４と案内部６５の係合を維持する。伝達部１０４は案内部６５の溝内を移動することができる。本体部８６が軸体８４，８５を軸に回動するので、伝達部１０４は案内部６５に係合しながら、軸体８４，８５の軸心を中心に下側に膨らむ円弧状の軌道に沿って揺動する。演出体８０は、本体部８６の基端部８２において、軸体８４，８５よりも先端部８１も近い側に伝達部１０４を配置することで、回転半径を大きくすることができる。
【００３５】
このように、演出装置５０は、駆動モータ５２の駆動力をラック＆ピニオン機構によって演出体８０の伝達部１０４に伝達することができる。例えば駆動モータ５２の駆動力を複数のギアを連結して伝達する場合と比べると、駆動力の伝達における損失が少なく、且つ駆動モータ５２を演出体８０から離れた位置に配置することができる。
【００３６】
図６〜図８に示すように、本体部８６の先端部８１には、ＬＥＤ基板９７と導光板９８がねじ留めによって固定される。ＬＥＤ基板９７は前面に複数のＬＥＤを備え、演出時に所定の発光パターンに従ってＬＥＤを発光する。導光板９８はＬＥＤ基板９７の前面に取り付けられ、ＬＥＤ光の照射方向を誘導する。導光板９８の基端部には、後方へ向けて立ち上がる板状の規制部材９９が設けられる。規制部材９９は、可動部８３に設ける押え板９６（後述）の延伸方向先端側への移動を規制する。規制部材９９の後端には、切り欠き状の誘導部１０８が形成されている。ＬＥＤ基板９７と導光板９８がねじ留めされた状態で、規制部材９９はＬＥＤ基板９７の基端部よりも後側に突出する。誘導部１０８は、ＬＥＤ基板９７の基端部よりも後側に配置される。誘導部１０８は押え板９６に係合し、押え板９６の延伸方向への移動を誘導する。
【００３７】
本体部８６の溝内にはソレノイド９０が収容され、ねじ留めによって固定される。ソレノイド９０のプランジャ９１は、延伸方向先端側に突出する。プランジャ９１の周囲には、圧縮ばね９２が組み付けられる。圧縮ばね９２の基端部には、皿状のばねガイド９３が設けられる。ばねガイド９３は、ソレノイド９０の先端に当接する。プランジャ９１の先端部１０７は、鍔状に形成されている。先端部１０７は、可動部８３に接続される。
【００３８】
可動部８３は、可動カバー９４及び可動フレーム９５を備える。可動フレーム９５は透明な部材で形成され、ＬＥＤ基板９７及び導光板９８の前面側に配置される。可動フレーム９５は前面が弧状の凸面状に形成され、ＬＥＤ基板９７が発光するＬＥＤ光を透過する。可動フレーム９５は、ＬＥＤ基板９７及び導光板９８に対し、延伸方向に移動することができる。可動フレーム９５の基端部には、保持部１００が形成される。保持部１００は、本体部８６の幅方向略中央に配置される。保持部１００には、プランジャ９１の先端部１０７に係合する溝部が形成される。
【００３９】
保持部１００の後側には、押え板９６が取り付けられる。押え板９６は前後方向に厚みを有する板状の部材である。押え板９６は、本体部８６の幅方向略中央に配置される。押え板９６の基端部には、プランジャ９１の先端部１０７に係合する溝部が形成されている。押え板９６と保持部１００は、プランジャ９１の先端部１０７を前後方向に挟んで保持する。プランジャ９１は、可動フレーム９５に対して軸の周方向に回転可能な状態で抜け止めされる。故に可動フレーム９５は、プランジャ９１の軸線に対し、周方向に揺動することができる。即ち、可動部８３は、ソレノイド９０の駆動に伴う延伸方向への移動の際に、延伸方向に対する周方向にも揺動することができる。
【００４０】
押え板９６の幅方向両端には、一対の当接部１０６が形成されている。当接部１０６が保持部１００にねじ留めされることで、押え板９６が可動フレーム９５に固定される。可動部８３が延伸方向先端側へ移動したとき、当接部１０６は、導光板９８に設けた規制部材９９の基端側の面に当接する。このときの可動部８３の位置を、延伸方向において移動可能な範囲の最も先端側の位置である「突出位置」という（図６参照）。
【００４１】
押え板９６は、導光板９８の規制部材９９に形成された誘導部１０８に係合する。誘導部１０８は、押え板９６の延伸方向への移動を誘導する。押え板９６の幅方向の長さは、誘導部１０８の幅方向の長さより短い。つまり誘導部１０８は、幅方向において、押え板９６との間に所定の間隙を有する。故に押え板９６は、誘導部１０８に対する幅方向への位置ずれが許容される。即ち、可動部８３は、ソレノイド９０の駆動に伴う延伸方向への往復移動の際に、幅方向にも移動することができる。
【００４２】
圧縮ばね９２の先端部は、保持部１００と押え板９６の基端に当接する。圧縮ばね９２は、ソレノイド９０と保持部１００及び押え板９６との間に挟まれて、可動フレーム９５を延伸方向先端側に向けて付勢する。即ち圧縮ばね９２は、演出体８０の本体部８６に対し、可動部８３を延伸方向先端側へ向けて付勢する。ソレノイド９０の駆動時、ソレノイド９０はプランジャ９１を延伸方向基端側へ移動する。プランジャ９１は、圧縮ばね９２の付勢力に抗して圧縮ばね９２を圧縮しつつ、可動部８３を延伸方向基端側へ向けて移動させる。延伸方向において移動可能な範囲の最も基端側の位置に移動したときの可動部８３の位置を、「退行位置」という（図８参照）。
【００４３】
押え板９６の後面には、後方へ向けて突出する突片１０１が形成されている。突片１０１は、本体部８６の幅方向略中央に設けられる。突片１０１は、演出体８０を収納部６０内に収納するときに、背板５１の溝部６７（図４参照）に係合する。前述したように、突片１０１を有する押え板９６は、圧縮ばね９２によって、延伸方向先端側へ向けて付勢されている。本体部８６が軸体８４，８５を軸に回動するので、突片１０１は、軸体８４，８５の軸心を中心に下側に膨らむ円弧状の軌道に沿って揺動する。演出体８０の収納時、突片１０１は、溝部６７内で、溝部６７の右側壁６８に当接する。突片１０１は、右側壁６８の形状に合わせて溝部６７に案内されて、延伸方向基端側へ移動する。
【００４４】
可動カバー９４は、ねじ留めによって可動フレーム９５に固定され、可動フレーム９５の前面を覆う。可動カバー９４は、延伸方向に延び後側が開放する半円筒状に形成され、延伸方向先端部分が半球状に閉じる。可動カバー９４の延伸方向における中間部分には、周方向に延びる複数のスリットが形成されている。ＬＥＤ基板９７が発光するＬＥＤ光は、可動フレーム９５の凸面部分を透過し、スリットを介して前方へ向けて照射される。可動部８３が延伸方向に移動すると、延伸方向におけるスリットの位置が変化し、前方に照射されるＬＥＤ光の照射パターンが変化する。
【００４５】
次に、図９、図１０を参照し、溝部６７の構成について説明する。前述したように、溝部６７の右側壁６８は、第一溝部６９、第二溝部７０、第三溝部７１を有する。第一溝部６９は、背板５１の下端部から上方に延びる。前面視において、軸体８４，８５の軸心と、第一溝部６９の下端部における左側面との間の長さをＬ１とする。軸体８４，８５の軸心と、可動部８３が突出位置にある場合の突片１０１の外周面で、軸体８４，８５の軸心から最も離れた部分との間の長さをＲ１とする。軸体８４，８５の軸心と、第一溝部６９の上端部における左側面との間の長さをＬ２とする。この場合に、Ｌ１はＲ１よりも長い。Ｌ２は、Ｌ１よりも短く、且つＲ１よりも短い。
【００４６】
第二溝部７０は、第一溝部６９の上端部に接続し、右斜め上方に延びる。第二溝部７０が延びる方向は、軸体８４，８５を中心とする円の第二溝部７０付近における接線に略平行な方向である。前面視において、軸体８４，８５の軸心と、第二溝部７０の上端部における左側面との間の長さをＬ３とする。この場合に、Ｌ３は、Ｌ２と略同じ長さである。
【００４７】
第三溝部７１は、第二溝部７０の上端部に接続し、上方に延びる。第三溝部７１の上端部は、軸体８４，８５の水平位置よりも上に位置する。前面視において、軸体８４，８５の軸心と、第三溝部７１の左側面で、軸体８４，８５の軸心に水平な位置との間の長さをＬ４とする。軸体８４，８５の軸心と、第三溝部７１の上端部の左側面との間の長さをＬ５とする。軸体８４，８５の軸心と、可動部８３が退行位置にある場合の突片１０１の外周面で、軸体８４，８５の軸心から最も離れた部分との間の長さをＲ２とする。Ｌ４は、Ｒ２と同じ長さ、若しくはＲ２よりも若干長い。Ｌ５はＬ４よりも長く、Ｌ３よりも短い。
【００４８】
次に、演出装置５０の動作について、図５、図６、図８〜図１１を参照して説明する。図５に示すように、非演出時、演出体８０は、収納部６０（図３参照）内に配置されている。演出体８０は、本体部８６の第一側壁８８が背板５１のストッパ１０９に当接する。このとき、駆動モータ５２の駆動力を伝達するラックギア６３は、左右方向への移動範囲において、右端に位置する。図１０に示すように、演出体８０の伝達部１０４の軸心は、軸体８４，８５の軸心の右斜め下方（矢印Ａで示す位置）に位置する。伝達部１０４は、ラックギア６３の案内部６５に設けられた溝形状の穴部において、上端寄りの位置に配置される。
【００４９】
また、演出体８０の突片１０１の軸心は、軸体８４，８５の軸心の水平位置よりも上方に位置する。突片１０１が本体部８６の幅方向略中央に設けられるのに対し、軸体８４，８５は、本体部８６の第一側壁８８寄り、即ち幅方向の一端側に設けられる。よって、本体部８６の先端部８１は、収納部６０内において、基端部８２の右斜め上方に配置される。
【００５０】
演出時、演出基板のＣＰＵは、駆動モータ５２を制御し、ラックギア６３を左方に移動させる。案内部６５は、穴部の右側の内周面で、伝達部１０４を左方に押圧する。伝達部１０４は、軸体８４，８５の軸心を中心とする下側に膨らむ円弧状の軌道に沿って、左方へ移動する。故に伝達部１０４は、案内部６５の穴部内で、相対的に下方へ移動する。演出体８０は、伝達部１０４の移動に応じて軸体８４，８５の軸心を中心に時計回りに回動する。ＣＰＵは、フォトセンサ１０３が演出体８０の遮蔽板１０２を非検出となったときの演出体８０の回動位置を基準に、駆動モータ５２のステップ数を設定する。よってＣＰＵは、可動部８３が収納部６０から露出する位置から延伸方向が上下方向に沿う位置までの任意の位置に演出体８０を回動し、演出体８０の演出動作を行うことができる。
【００５１】
伝達部１０４が軸体８４，８５の軸心の直下に位置するとき、伝達部１０４は、案内部６５の穴部内で相対的に移動可能な範囲の最下点（矢印Ｂで示す位置）に位置する。演出体８０の突片１０１は、伝達部１０４が軸体８４，８５の側方から下方に移動する過程で背板５１よりも下方に位置し、溝部６７とは非係合の状態になる。よって可動部８３は、圧縮ばね９２によって延伸方向先端側に押圧されて、突出位置に配置される。
【００５２】
駆動モータ５２がステップ数に応じて駆動され、ラックギア６３が更に左方に移動すると、伝達部１０４は下側に膨らむ円弧状の軌道に沿って、更に左方へ移動する。伝達部１０４は、案内部６５の穴部内で、相対的に上方へ移動する。図９に示すように、演出体８０の本体部８６の第二側壁８９がストッパ１１０に当接したとき、演出体８０は、延伸方向が上下方向に沿う位置に配置される。ラックギア６３は、左右方向への移動範囲の左端に位置する。伝達部１０４の軸心は、軸体８４，８５の軸心の左斜め下方（矢印Ｃで示す位置）に位置する。伝達部１０４は、案内部６５の穴部において、上端寄りの位置に配置される。
【００５３】
演出基板のＣＰＵは、演出体８０のソレノイド９０とＬＥＤ基板９７に通電し、プランジャ９１の駆動とＬＥＤの発光を所定のパターンに従って行う。図８に示すように、ソレノイド９０が通電されると、プランジャ９１に接続する可動部８３は、退行位置に移動する。図６に示すように、ソレノイド９０が非通電となると、可動部８３は、圧縮ばね９２に押圧されて、突出位置に移動する。ＣＰＵはソレノイド９０への通電と非通電を繰り返す。可動部８３は、退行位置と突出位置との間において、往復移動を繰り返す。
【００５４】
押え板９６の当接部１０６が突出位置で規制部材９９に当接したとき、可動部８３は、当接部１０６が規制部材９９から受ける反力によって、退行位置側へ向けて僅かに移動するが、圧縮ばね９２によって突出位置に戻される。すなわち、可動部８３は、退行位置と突出位置との間で、跳ね返りと付勢による延伸方向への僅かな揺れを含む往復移動を行う。また、押え板９６は、規制部材９９の誘導部１０８との間に所定の間隙を有する。故に可動部８３は、退行位置と突出位置との間における往復移動の過程で、幅方向に僅かに揺れながら動くことができる。間隙の大きさは、ソレノイド９０が駆動するプランジャ９１の移動長さ（ストローク）よりも小さい。更に、可動部８３は、プランジャ９１の軸線に対し、周方向に揺動することもできる。このように可動部８３は、ソレノイド９０の駆動によって大きなストロークで目立つように往復移動しながらも、あたかも振動モータを内蔵するかの如きぶれを生じた動作を行うことができる。そして、ラックギア６３の案内部６５の溝幅は、伝達部１０４のワッシャ１０５の外径よりも若干大きい。即ち、伝達部１０４を有する本体部８６は、可動部８３の往復移動に伴う振動で、左右方向に僅かに揺れ動くことができる。従って、可動部８３だけでなく、本体部８６も含めた演出体８０の全体が、可動部８３の往復移動に伴い、あたかも振動モータを内蔵するかの如きぶれを生じた動作を行うことができる。また、可動カバー９４のスリットを介して前方に照射されるＬＥＤ光も、可動部８３及び本体部８６のぶれを伴う動作によって瞬いて照射される。故に演出体８０は、振動のようなぶれを伴う可動部８３の往復移動と、ＬＥＤ光の瞬きによって、遊技者の注目を集めることができる。
【００５５】
演出が終了すると、演出基板のＣＰＵは、駆動モータ５２を制御し、ラックギア６３を右方に移動させる。図１０に示すように、案内部６５は、穴部の左の内周面で、伝達部１０４を右方に押圧する。伝達部１０４は、軸体８４，８５の軸心を中心とする下側に膨らむ円弧状の軌道に沿って、右方へ移動する。伝達部１０４は、案内部６５の穴部内で、相対的に下方へ移動する。演出体８０は、伝達部１０４の移動に応じて軸体８４，８５の軸心を中心に反時計回りに回動する。なお、演出基板のＣＰＵは、演出体８０を収納部６０に収納する収納過程において、駆動モータ５２の出力軸を一定速度で回転させ、演出体８０を一定の角速度で回動させるものとする。
【００５６】
伝達部１０４が軸体８４，８５の軸心の直下を通過すると、伝達部１０４は、案内部６５の穴部内で、相対的に上方へ移動する。突片１０１は、下側に膨らむ円弧状の軌道に沿って背板５１の溝部６７内に進入する。以下の説明において、前面視で軸体８４，８５の軸心の位置に対する突片１０１の位置を、角度で表すこととする。突片１０１の軸心が軸体８４，８５の軸心の水平方向右側に位置する場合の突片１０１の位置を０度とし、真下に位置する場合の突片１０１の位置を−９０度とする。なお、演出体８０の本体部８６の第二側壁８９がストッパ１１０に当接したときの突片１０１の位置は、例えば−１００．３度である（図９参照）。
【００５７】
突片１０１は、溝部６７の右側壁６８のうち、最下部に設けられた第一溝部６９に、例えば−２７．７度の位置で当接する。このとき、軸体８４，８５の軸心の位置と、突片１０１の軸心の位置との間の長さは、例えば５０．３ｍｍである。突片１０１は、軸体８４，８５の軸心を中心とする下側に膨らむ円弧状の軌道に沿って回動を続けるが、第一溝部６９によって、右方への移動が規制される。故に突片１０１は、押え板９６によって圧縮ばね９２を圧縮し、軸体８４，８５の軸心との間の距離を縮めながら、例えば−２３．２度の位置まで第一溝部６９に上向きに案内される。可動部８３は、突片１０１が第一溝部６９に案内される間、突出位置から退行位置側へ向けて第一平均速度で移動する。突片１０１が、例えば−２３．２度に位置する場合、軸体８４，８５の軸心の位置と、突片１０１の軸心の位置との間の長さは、例えば４８．７ｍｍである。上記例の場合の第一平均速度は、（５０．３ｍｍ−４８．７ｍｍ）／｛−（−２７．７度）−（−２３．２度）｝＝０．３６［ｍｍ／度］である。
【００５８】
突片１０１は、例えば−２３．２度から、第二溝部７０に案内される。第二溝部７０は、突片１０１を、右斜め上向きに案内する。突片１０１は、軸体８４，８５の軸心を中心とする下側に膨らむ円弧状の軌道に沿って回動を続ける。第二溝部７０において、突片１０１は、右方への移動に対する規制が緩和される。故に突片１０１は、圧縮ばね９２に対する圧縮を緩和し、軸体８４，８５の軸心との間の距離を僅かに縮めながら、例えば−１２．２度の位置まで第二溝部７０に右斜め上向きに案内される。可動部８３は、突片１０１が第二溝部７０に案内される間、突出位置から退行位置側へ向けて第二平均速度で移動する。突片１０１が、例えば−１２．２度に位置する場合、軸体８４，８５の軸心の位置と、突片１０１の軸心の位置との間の長さは、例えば４８．６ｍｍである。上記例の場合の第二平均速度は、（４８．７ｍｍ−４８．６ｍｍ）／｛−（−２３．２度）−（−１２．２度）｝＝０．００９［ｍｍ／度］である。
【００５９】
突片１０１は、例えば−１２．２度の位置から、第三溝部７１に案内される。第三溝部７１は、突片１０１を、上向きに案内する。突片１０１は、軸体８４，８５の軸心を中心とする下側に膨らむ円弧状の軌道に沿って回動を続ける。第三溝部７１において、突片１０１は、第一溝部６９と同様に、右方への移動が規制される。故に突片１０１は、圧縮ばね９２を圧縮し、軸体８４，８５の軸心との間の距離を更に縮めながら、例えば＋１．７度の位置まで第三溝部７１に上向きに案内される。可動部８３は、突片１０１が第三溝部７１に案内される間、突出位置から退行位置側へ向けて第三平均速度で移動する。突片１０１が、例えば＋１．７度に位置する場合、軸体８４，８５の軸心の位置と、突片１０１の軸心の位置との間の長さは、例えば４７．８ｍｍである。上記例の場合の第三平均速度は、（４８．６ｍｍ−４７．８ｍｍ）／｛−（−１２．２度）−（＋１．７度）｝＝０．０６［ｍｍ／度］である。
【００６０】
図１１に、演出体８０の収納過程における軸体８４，８５の軸心と突片１０１の軸心との間の長さ（距離Ｒ２）と、軸体８４，８５の軸心に対する突片１０１の位置（角度θ）との関係を、実線で示す。また、第一比較例として、第一溝部６９、第二溝部７０がなく、第三溝部７１が背板５１の下端部に延びる場合において、距離Ｒ２と角度θとの関係を、一点鎖線で示す。第二比較例として、演出体８０の収納過程で突片１０１が第一溝部６９に当接する−２７．７度の位置から収納が完了する＋１．７度の位置まで、溝部が斜めに直線状に延びる場合において、距離Ｒ２と角度θとの関係を、二点鎖線で示す。
【００６１】
突片１０１が第一溝部６９に案内されるときに可動部８３が移動する第一平均速度は、第二溝部７０における第二平均速度と比べ、速い。また、突片１０１が第一溝部６９によって−２３．２度の位置に案内されたとき、本実施形態では、距離Ｒ２が４８．７ｍｍである。これに対し、第一比較例では、突片１０１が−２３．２度に位置しても、突片１０１は溝部に当接していない。故に、距離Ｒ２は、５０．３ｍｍである。第二比較例では、突片１０１が−２３．２度に位置する場合、距離Ｒ２は、４９ｍｍである。即ち、演出装置５０は、演出体８０を収納部６０に収納する過程において、まず、第一溝部６９で突片１０１を案内することによって、第一比較例や第二比較例と比べても、可動部８３を素早く退行位置側へ向けて移動させることができる。
【００６２】
第一溝部６９は、収納過程で、演出体８０の回動範囲（角度θが−２７．７度〜＋１．７度の範囲）のうち、最初の１／６以下の範囲（角度θが−２７．７度〜−２３．２度の範囲）において、突片１０１を案内する。その間に、可動部８３は、突出位置から退行位置側へ向かう移動範囲（距離Ｒ２が５０．３ｍｍ〜４７．８ｍｍの範囲）のうち、１／２以上の範囲(距離Ｒ２が５０．３ｍｍ〜４８．７ｍｍの範囲)を移動することができる。このように、可動部８３は、第一比較例や第二比較例の場合と比べ、収納過程の初期において、素早く本体部８６に近づくことができる。故に、演出装置５０は、収納部６０内での演出体８０の回動半径を小さくすることができる。従って、演出装置５０は、収納部６０の大きさを、より小さくすることができ、装置全体の大きさを小さく構成できる。
【００６３】
溝部６７は、第一溝部６９に次ぐ第二溝部７０で、可動部８３を退行位置側に向けて第二平均速度で案内する。第二平均速度は第一平均速度より遅く、溝部６７は、可動部８３の移動を緩やかにすることができる。これにより、演出装置５０は、第一溝部６９における移動で勢いのついた可動部８３が、本体部８６に衝突することを防止できる。また、第二平均速度は第一平均速度より遅いので、完全収納時に部品同士が衝突する衝撃を和らげることができる。
【００６４】
溝部６７は、第二溝部７０に次いで、第三溝部７１で、可動部８３を退行位置側へ向けて第三平均速度で案内する。第三平均速度は第一平均速度より遅く、第二平均速度より速い。よって演出体８０は、可動部８３を速やかに退行位置側へ向けて移動させ、収納部６０内への収納を完了することができる。演出基板のＣＰＵは、フォトセンサ１０３が遮蔽板１０２を検出したときの演出体８０の回動位置を基準に、本体部８６の第一側壁８８がストッパ１０９に当接するまでの駆動モータ５２のステップ数を設定する。ＣＰＵが設定するステップ数によって演出体８０が回動する角度は、遮蔽板１０２がフォトセンサ１０３に検出されたときの演出体８０の回動位置から、第一側壁８８がストッパ１０９に当接する位置までの角度よりも大きい。故にＣＰＵは、演出体８０の重さによって、たとえ駆動モータ５２に空転が生じても、確実に、第一側壁８８がストッパ１０９に当接する位置に演出体８０を回動させて、収納部６０内に収納させることができる。
【００６５】
このように、演出体８０の収納部６０への収納過程において、演出基板のＣＰＵは、可動部８３の退行位置側への移動を、ソレノイド９０の駆動によって行わない。このため、ソレノイド９０の駆動に伴う熱は、収納部６０内に籠もりにくい。
【００６６】
演出体８０の可動部８３は、収納部６０内で、本体部８６の右斜め上方に配置される。演出体８０にかかる回転モーメントは、可動部８３が本体部８６の真横に配置される場合よりも小さい。故に駆動モータ５２は、静止トルクによって確実に、演出体８０を収納部６０内に収納した状態を維持することができる。
【００６７】
以上説明したように、本発明に係る演出装置５０において、演出体８０を収納部６０に収納する収納過程において、突片１０１が溝部６７によって案内されることで、可動部８３は、突出位置よりも退行位置側に位置した状態で、収納部６０に収納される。故に、演出体８０の収納スペースを従来よりも小さくすることができ、パチンコ機１の筐体内におけるレイアウトの自由化を図ることができる。また、収納部６０の後側の壁面を構成する背板５１の前面に溝部６７を形成したことで、可動部８３を突出位置から退行位置側へ向けて移動させるための部材を別途設ける必要がなく、演出装置５０の部品点数を削減できる。
【００６８】
また、溝部６７は、第一溝部６９で可動部８３を退行位置側に向けて第一平均速度で素早く移動させる。これにより、収納部６０を小さく形成しても、演出体８０の収納過程で可動部８３が収納部６０の内壁に衝突することを防止できる。溝部６７は、第一溝部６９に次ぐ第二溝部７０で、可動部８３を退行位置側に向けて第二平均速度で案内し、可動部８３の移動を緩やかにする。これにより、第一溝部６９における移動で勢いのついた可動部８３が本体部８６に衝突することを防止できる。また、第二平均速度は第一平均速度より遅いので、演出体８０の完全収納時に、演出体８０を構成する部品同士が衝突する衝撃を和らげることができる。
【００６９】
また、第一溝部６９は、突片１０１を上向きに案内する。このため、可動部８３は、例えば突片１０１が斜め上向きに案内された場合と比べ、収納過程の初期において、素早く本体部８６に近づくことができる。故に、収納部６０内での演出体８０の回動半径を小さくできるので、収納部６０の省スペース化を確実に図ることができる。
【００７０】
また、可動部８３は、ソレノイド９０の駆動によって移動する。収納過程において、演出基板のＣＰＵは、可動部８３をソレノイド９０で退行位置側に移動させた状態で収納せず、溝部６７に突片１０１を案内させることで、可動部８３を退行位置側に移動させながら収納する。このため演出装置５０は、収納過程においてソレノイド９０を駆動させずに済み、ソレノイド９０の駆動に伴う熱が収納部６０に籠もりにくいので、装置の劣化を防止できる。
【００７１】
本発明は、以上詳述した実施の形態に限定されるものではなく、本発明の要旨を逸脱しない範囲内において種々の変更が可能であることは言うまでもない。演出体８０の収納過程において、演出基板のＣＰＵは、駆動モータ５２の出力軸を一定の速度で回転し、演出体８０を一定の角速度で回動させた。これに限らず、演出基板のＣＰＵは、駆動モータ５２の出力軸の回転速度を任意に変化させることによって、可動部８３と本体部８６との衝突を防止したり、完全収納時に部品同士が衝突する衝撃を和らげたりしてもよい。
【００７２】
演出装置５０は、演出体８０の収納過程において、前面視、反時計回りに回動する向きに演出体８０を設けたが、収納過程で時計回りに回動する向きに設けてもよい。この場合、第二溝部７０が突片１０１を案内する向きは、左斜め上向きであればよい。また、パチンコ機１は、演出装置５０を図柄表示装置２８の下側外縁に沿って設け、上下方向において逆さまに配置してもよい。あるいは、演出装置５０を図柄表示装置２８の左右側方の外縁に沿って設け、９０度回転させた状態で配置してもよい。
【００７３】
溝部６７は、第一溝部６９、第二溝部７０及び第三溝部７１を有するが、第三溝部７１はなくてもよい。また、第一溝部６９は、突片１０１を上方へ案内するが、鉛直上方に限るものではなく、例えば、右斜め上方であってもよい。この場合、第二溝部７０が突片１０１を案内する方向は、第一溝部６９よりも右側へ大きく傾きながら上方へ案内する方向であればよい。
【００７４】
特許請求の範囲、明細書及び図面に記載される全ての要素（例えば、表示装置、普通電動役物、図柄作動口等）は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示装置」は、ハード単体でも、ソフトを含んだものであっても構わない。更には、上記全ての要素のうちの複数の要素を適宜一体的に構成するか、もしくはひとつの要素を複数の要素に分けて構成するかは、特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００７５】
なお、本発明においては、パチンコ機１が「遊技機」に相当する。前板５４が、「前壁」に相当する。背板５１が、「後壁」に相当する。圧縮ばね９２が、「付勢部材」に相当する。
【符号の説明】
【００７６】
１                          パチンコ機
２                          遊技盤
４                          遊技領域
１４                        装飾枠
１９                        開口部
２７                        表示面
２８                        図柄表示装置
５０                        演出装置
５１                        背板
５４                        前板
５８，５９                  軸受
６０                        収納部
６７                        溝部
６９                        第一溝部
７０                        第二溝部
８０                        演出体
８１                        先端部
８２                        基端部
８３                        可動部
８４，８５                  軸体
８６                        本体部
９０                        ソレノイド
９２                        圧縮ばね
１０１                      突片
【図１】
2018089517.tif 000003
【図２】
2018089517.tif 000004
【図３】
2018089517.tif 000005
【図４】
2018089517.tif 000006
【図５】
2018089517.tif 000007
【図６】
2018089517.tif 000008
【図７】
2018089517.tif 000009
【図８】
2018089517.tif 000010
【図９】
2018089517.tif 000011
【図１０】
2018089517.tif 000012
【図１１】
2018089517.tif 000013